(57)【要約】【課題】  設置面積を小さくでき、例えば店頭に置いても通行の妨げにならず、また衝撃により修復困難な損傷を受けにくく、損傷しても容易かつ安価に復元できる広告装置。【解決手段】  バルーン１１を上から見て扁平な形状にし、バルーン内部に隔壁１５Ａ・・・を設け、バルーンを横方向に複数の区画１１Ａ・・・に分割する。【選択図】図１
2009139898.tif 000002
【特許請求の範囲】
【請求項１】
広告メッセージを有する光透過性かつ可撓性の皮膜から成るバルーンと、その開口部に連結されて前記バルーンを支持する基底部から成り、この基底部が前記バルーンを内側から照明するための光源部および前記バルーンを膨張させるための気流を前記開口部から前記バルーンに供給するための送風器を具える、広告装置において、
前記バルーンが、前記開口部に垂直な軸を含む平面に沿って扁平な形状を有し、かつ内部に隔壁を具え、
この隔壁は前記軸に平行な方向に延び、かつ前記平面に対し垂直に又は４５度以上の内角で交わる方向に設けられたことを特徴とする、広告装置。
【請求項２】
前記隔壁が、前記平面に垂直に又は直角に近い角度で交わる平面に沿って設けられた、請求項１の広告装置。
【請求項３】
前記バルーンが直方体またはそれに近似する形状を有する、請求項１または２の広告装置。
【請求項４】
前記隔壁が前記バルーンの内部に複数設けられている、請求項１または３の広告装置。
【請求項５】
前記隔壁が、前記気流を通過させ得る開口を有する、請求項１または３の広告装置。
【請求項６】
前記隔壁が前記開口を複数有する、請求項５の広告装置。
【請求項７】
前記隔壁の少なくとも１が、前記気流を通過させ得る開口を複数有する、請求項４の広告装置。
【請求項８】
前記バルーンが、バルーン本体と、それに少なくとも一部が密着してそれを被覆する、取り外し可能な外皮とから成り、
前記隔壁は前記バルーン本体の内部に設けられている、請求項１または２の広告装置。
【請求項９】
前記外皮に前記広告メッセージを有する、請求項８の広告装置。
【請求項１０】
前記バルーン本体が直方体またはそれに近似する形状を有する、請求項８または９の広告装置。
【請求項１１】
前記バルーンが、バルーン本体と、それに少なくとも一部が密着してその少なくとも側面を被覆する、取り外し可能な外皮とから成り、
前記隔壁は前記バルーン本体の内部に設けられている、請求項２の広告装置。
【請求項１２】
前記隔壁が前記バルーン本体の内部に複数設けられている、請求項８又は１０の広告装置。
【請求項１３】
前記隔壁が、前記気流を通過させ得る開口を有する、請求項８または１０の広告装置。
【請求項１４】
前記隔壁の少なくとも１が、前記気流を通過させ得る開口を有する請求項１２の広告装置。
【請求項１５】
前記バルーンが少なくとも一辺に発光体の列を具える、請求項３の広告装置。
【請求項１６】
前記バルーン本体が少なくとも一辺に発光体の列を具える、請求項１０の広告装置。
【請求項１７】
前記外皮が少なくとも一辺に発光体を具える、請求項１０の広告装置。
【請求項１８】
広告メッセージを有する光透過性かつ可撓性の皮膜から成るバルーンと、その開口部に連結されて前記バルーンを支持する基底部から成り、この基底部が前記バルーンを内側から照明するための光源部および前記バルーンを膨張させるための気流を前記開口部から前記バルーンに供給するための送風器を具える、広告装置において、
前記バルーンが、前記開口部に垂直な軸を含む平面に沿って延びた直方体またはそれに近似する形状を有し、かつ内部に少なくとも１の隔壁を具え、
この隔壁は前記軸に平行な方向に延び、かつ前記平面に対し垂直に又は４５度以上の内角で交わる方向に設けられ、
前記隔壁のうち少なくとも１が、前記気流を通過させ得る開口を有することを特徴とする、広告装置。
【請求項１９】
前記バルーンの少なくとも一辺に発光体の列を具える、請求項１８の広告装置。
【請求項２０】
前記バルーンが、バルーン本体と、それに少なくとも一部が密着してその少なくとも一部を被覆する取り外し可能な外皮とから成り、
前記隔壁は前記バルーン本体の内部に設けられ、
前記バルーン本体が前記形状を有する、請求項１８の広告装置。
【請求項２１】
前記外皮に前記広告メッセージを有する、請求項２０の広告装置。
【請求項２２】
前記外皮が前記バルーン本体の少なくとも側面を被覆する、請求項２１の広告装置。
【請求項２３】
広告メッセージを有する光透過性かつ可撓性の皮膜から成るバルーンと、その開口部に連結されて前記バルーンを支持する基底部から成り、この基底部が前記バルーンを内側から照明するための光源部および前記バルーンを膨張させるための気流を前記開口部から前記バルーンに供給するための送風器を具える、広告装置の製造方法であって、
前記バルーンを、光透過性かつ可撓性の皮膜から成る２以上のそれぞれ独立した袋体を結合することにより形成し、前記バルーンの前記開口部を前記基底部に結合することを特徴とする、広告装置の製造方法。
【発明の詳細な説明】
【発明の詳細な説明】
【技術分野】
【０００１】  本発明は広告装置に関するもので、特に、設置面積が小さくでき、衝撃により修理できない損傷を受けにくく、損傷した場合にも復元が容易な広告装置に関する。
【背景技術】
【０００２】  店頭などに置く広告スタンドとして、台座に固定したプラスチック製の半透明の箱に、必要な広告メッセージ、例えば店名や営業内容を、表示したものが広く用いられている。台座に車輪を取り付ければ移動が容易なため、営業時間外の必要のない時間帯には店内に納めておき、必要なとき店頭に出して用いるのに適している。【０００３】  別の広告装置として、気流膨張型あるいはエアポップ型広告装置と呼ばれるものが、目的によって用いられる。これは、広告メッセージを有する光透過性かつ可撓性の皮膜から成るバルーンと、その開口部に連結されてバルーンを支持する基底部から成り、基底部がバルーンを内側から照明するための光源部と、バルーンを膨張させるための気流を開口部からバルーン内部に供給するための送風器を具えるものである。【０００４】  図４は従来の一般的なエアポップ型広告装置を示す。図４（Ａ）は正面図、同（Ｂ）は平面図である。広告スタンド８０はバルーン８１と基底部８２から成り、基底部８２は光源部８３と送風器８４を具える。バルーン８１は円筒形で、その開口部８１ａが基底部８２に連結されている。光源部８３は基底部８２の中央部に配置され、バルーン８１を内部から照明する。送風器８４は、バルーン８１を膨張させるための気流を開口部８１ａからバルーン８１の内部に供給する。【０００５】  送風器８４からの気流は開口部８１ａからバルーン８１の内部に向かって吹き込まれ、しぼんでいたバルーン８１を膨張させる。光源部８３を点灯すると、バルーン８１が内部から照明され、バルーン８１の表面に設けた広告メッセージが明るく見える。【０００６】  バルーンは円筒形のほか、弾丸形、紡錘形のものも用いられるが、大抵、長さ方向の軸が基底部の底面に垂直になるように配置される。いずれも基底部の底面に平行な断面は円である。この形状の広告スタンドは、四方のどの方向からもバルーンの側面の広告メッセージを見ることができ、また比較的安定がよく、転倒しにくい。
【発明が解決しようとする課題】
【０００７】  しかし、このような形状の広告スタンドを道路沿いに設置すると、比較的広い面積を占有し、歩行者や自転車の通行の妨げとなることが多い。
【０００８】  また、プラスチック製の箱から成る広告スタンドは、風による転倒、通行人や自転車の衝突、いたずら等によって損傷しやすく、損傷すると修復が困難、あるいは多大の費用がかかる。
【０００９】  本発明の目的は、それ故、設置面積が小さくでき、例えば店頭に置いても通行の妨げにならない広告装置を、実現することにある。特に、店先の路上の許容される場所に置いて使用しても、通行の妨げにならない広告装置を、実現することにある。
【００１０】  本発明の他の目的は、衝撃によって修復困難な損傷を受けにくく、もし損傷した場合にも容易にあるいは安価に修復できる広告装置を実現することにある。
【課題を解決するための手段】
【００１１】  本発明の広告装置は、上記目的を達成するため、広告メッセージを有する光透過性かつ可撓性の皮膜から成るバルーンと、その開口部に連結されてバルーンを支持する基底部から成り、この基底部がバルーンを内側から照明するための光源部およびバルーンを膨張させるための気流を開口部（バルーンの）からバルーン内部に供給するための送風器を具える、広告装置において、バルーンが開口部に垂直な軸を含む平面に沿って扁平な形状を有し、かつ内部に隔壁を具え、この隔壁は軸（バルーンの開口部に垂直な）に平行な方向に延び、かつ平面（バルーンの開口部に垂直な軸を含む）に対し垂直に又は４５度以上の内角で交わる方向に設けられたことを、その特徴とする。
【００１２】  バルーンは鼓形（広い面の形が円）、扇形などであってもよいが、直方体またはそれに近似する形状を有することが有利である。その角は丸められてもよい。
【００１３】  隔壁は、開口部に垂直な軸を含む平面（バルーンの最も広い面に平行）に対し垂直に、又は直角に近い角度で交わる第二の平面に沿って設けることが有利である。隔壁はバルーンの内部に複数設けてもよく、むしろそれが好都合である。
【００１４】  隔壁には、気流を通過させ得る開口を有してもよく、それが有利である。それにより、隔壁で区切られる区画の間で気流が均等化される。隔壁には開口を２以上設けてもよい。隔壁が複数あるとき、隔壁のいずれか１以上に気流を通過させる開口を複数もうけてもよい。
【００１５】  隔壁は二重でもよい。区画を複数の筒状（細長い箱状）のバルーンでそれぞれ形成し、それらを隔壁になる部分で接合して合体させ、バルーンとしてもよい。接合は隔壁全体にする必要はなく、合体したバルーンの外側に臨む隔壁の端だけで縫合してもよい。合体により形成されたバルーンを基底部に連結して、広告装置とすることができる。
【００１６】  バルーンは、バルーン本体と、それに少なくとも一部が密着してそれを被覆する外皮とで構成してもよい。外皮は取り外し可能とするのが好都合である。この場合、隔壁はバルーン本体の内部に設けられる。隔壁の角度、数、開口に関しては、外皮のない場合と同じである。外皮は必然的に本体と同じような形状を有する。
【００１７】  バルーン、バルーン本体、または外皮に、発光体を設けてもよい。バルーンまたはバルーン本体が直方体またはそれに近似する形状である場合、その１辺または２辺以上に発光体の列を設けてもよい。発光体の列は店の方向を示すなどの目的に有用である。発光体の列は、全体が同時に発光してもよいが、所定のプログラムに従い、順次に発光してもよい。
【００１８】  発光体は、白熱電球、放電灯、蛍光灯、発光ダイオード、蛍光塗料、燐光塗料などの中から選べるが、発光ダイオードが特に好ましい。
【００１９】  バルーンの皮膜は透明、半透明のいずれでもよい。不透明でも白色または明色ならばよい。皮膜の一部が半透明で、残りの部分が透明または半透明でもよい。皮膜の材料としては、柔軟で破断しにくければ、布、紙、合成樹脂フィルム、不職布などのいずれでも用いることができるが、例えばポリエステル布が好適である。
【００２０】  バルーンの開口部は基底部に、必要な程度気密に、装着できるように構成する。連結部を着脱自在にすると、取り扱いに便利である。例えば、面ファスナーを用いることができる。
【００２１】  広告メッセージはバルーンの外面、内面、皮膜内のいずれに設けてもよい。広告メッセージの一部が不透明または光不透過性であってもよい。広告メッセージはバルーン本体または外皮のいずれに設けてもよい。広告メッセージを外皮に設けた場合には、着脱自在にできるから、劣化や内容更新の場合に交換が容易にできる。
【発明の効果】
【００２２】  本発明の広告装置は、バルーンを基底部に垂直な平面に沿って扁平な形状にしたから、そうでない場合（例えば円柱状）に比して設置面積が相対的に小さくなり、例えば店頭に置いても通行の妨げにならない利点を有する。店内の通路に置く場合はもちろんのこと、店先の路上の許容される場所に置いて使用しても、比較的通行の妨げにならない。
【００２３】  プラスチック成形による広告スタンドの場合には、一旦破損すると再製作が困難であったり、多大の費用がかかるのに対し、本発明の広告装置は、衝撃により回復不可能な損傷を受けにくいだけでなく、もし損傷した場合にも外皮の取替えにより容易に、また安価に、復元できる。
【００２４】  さらに本発明の広告装置は、プラスチック成形による同じ大きさの広告スタンドに比べて、はるかに軽量にできる利点がある。
【発明を実施するための最良の形態】
【００２５】（第一の実施の形態、その構成）
図１は本発明の第一の実施の形態に当る広告装置を示す。図１（Ａ）は正面図、（Ｂ）は平面図、（Ｃ）は断面説明図である。広告スタンド１０は、バルーン１１と基底部１２から成り、基底部１２は光源部１３と送風器１４を具える。バルーン１１の外形は偏平な直方体で、その開口部１１ａが基底部１２に面ファスナー１１ｂで連結されている。バルーン１１の内部には隔壁１５Ａ、１５Ｂ、１５Ｃが設けられ、これらの隔壁により、バルーン１１の内部は区画１１Ａ，１１Ｂ，１１Ｃ，１１Ｄに分割されている。隔壁１５Ａと同１５Ｃの下部（開口部１１ａに近い部分）には通気孔１６Ａ、１６Ｃがそれぞれ設けられ、隔壁１５Ｂの下部には２個の通気孔１６Ｂが設けられている。なお図１（Ａ）及び（Ｂ）でバルーンおよび隔壁は便宜上厚みのないものとして図示した。【００２６】  光源部１３は基底部１２の中央部に配置され、バルーン１１を内部から照明する。送風器１４は、バルーン１１を膨張させるための気流を開口部１１ａから４区画に分割されたバルーン１１のそれぞれ内部に供給する。【００２７】（第一の実施の形態の動作）
送風器１４からの気流は開口部１１ａからバルーン１１内の区画１１Ａ，１１Ｂ，１１Ｃ，１１Ｄに向かって吹き込まれ、それぞれを膨張させる。しぼんでいたバルーン１１はこの膨張により全体として立ち上がり、箱型（直方体の形状）になる。隔壁１５Ａ、１５Ｂ、１５Ｃに設けた通気孔１６Ａ、１６Ｂ、１６Ｃにより、区画１１Ａ，１１Ｂ，１１Ｃ，１１Ｄの内部の風圧は平均化され、バルーン１１は開口部から垂直に起ち上がる。光源部１３を点灯すると、バルーン１１は内部から照明され、バルーン１１の表面付近に設けた広告メッセージが明るく見える。【００２８】（第一の実施の形態の効果）
バルーン１１を基底部１２に垂直な平面に沿って扁平な形状にしたから、そうでない場合に比して設置面積が相対的に小さくなり、例えば店頭に置いても通行の妨げにならない利点を有する。【００２９】  バルーン１１を扁平な箱型の形状にすると、開口部１１ａも細長い形（長方形）になり、隔壁１５Ａ、１５Ｂ、１５Ｃがないと、バルーン１１の中央部に風圧が偏り、開口部１１ａの両端付近に対応する部分は風圧が不足して、充分に膨張しない。隔壁１５Ａ、１５Ｂ、１５Ｃを設けてバルーン１１の内部を区画１１Ａ，１１Ｂ，１１Ｃ，１１Ｄに分割し、さらに各隔壁に通気孔１６Ａ、１６Ｂ、１６Ｃを設けたことにより、区画１１Ａ，１１Ｂ，１１Ｃ，１１Ｄの内部の風圧は平均化され、バルーン１１は開口部から垂直に起ち上がる。【００３０】  また、バルーン１１の区画のいずれかが損傷して空気が洩れても、通気孔１６Ａ、１６Ｂ、１６Ｃがあるため、区画１１Ａ，１１Ｂ，１１Ｃ，１１Ｄの内部の風圧が平均化され、バルーン１１の形状は保たれる。【００３１】  広告スタンド１０は広告担体として、うすい皮膜のバルーン１１を用いているから、送風器１４の重量を考慮しても、プラスチック成形による同程度の大きさの内部照明付き広告スタンドに比べて、はるかに軽量にできる。【００３２】（第二の実施の形態、その構成）
図２は本発明の第二の実施の形態に当る広告装置を示す。図２（Ａ）は正面図、（Ｂ）は平面図、（Ｃ）は断面説明図である。広告スタンド２０は、バルーン本体２１、カバー２２、基底部１２から成り、基底部１２は光源部１３と送風器１４を具える。バルーン本体２１の外形はバルーン１１と同じく偏平な直方体で、カバー２２はその外側全体をほぼ密着して覆うような形状を有する。バルーン本体２１の開口部２１ａは基底部１２に面ファスナー２１ｂで連結されている。  カバー２２が広告メッセージを保持している。バルーン本体２１はバルーン１１と同じく、隔壁２５Ａ、２５Ｂ、２５Ｃにより区画２１Ａ，２１Ｂ，２１Ｃ，２１Ｄに分割され、各隔壁には通気孔２６Ａ、２６Ｂ、２６Ｃを設けてある。なお図２（Ａ）及び（Ｂ）でバルーンおよび隔壁は便宜上厚みのないものとして図示した。光源部１３と送風器１４については広告スタンド１０と同様であり、説明を省略する。【００３３】（第二の実施の形態の動作）
送風器１４からの気流は開口部２１ａからバルーン本体２１内の区画１１Ａ，１１Ｂ，１１Ｃ，１１Ｄに向かって吹き込まれ、それぞれを膨張させる。しぼんでいたバルーン本体２１はこの膨張により全体として立ち上がり、カバー２２とともに箱型（直方体の形状）になる。隔壁１５Ａ、１５Ｂ、１５Ｃに設けた通気孔１６Ａ、１６Ｂ、１６Ｃにより、区画１１Ａ，１１Ｂ，１１Ｃ，１１Ｄの内部の風圧は平均化され、バルーン本体２１は開口部から垂直に起ち上がる。光源部１３を点灯すると、半透明のバルーン本体２１は内部から照明され、その外側のカバー２２の表面に設けた広告メッセージが明るく見える。【００３４】（第二の実施の形態の効果）
バルーン本体２１を基底部１２に垂直な平面に沿って扁平な形状にしたから、そうでない場合に比して広告スタンド２０の設置面積は相対的に小さくなり、例えば店頭に置いても通行の妨げにならない利点を有する。【００３５】  また広告スタンド２０は、うすい皮膜のカバー２２を広告担体として用い、それを内側からうすい皮膜のバルーン本体２１で支持しているから、送風器１４の重量を考慮しても、プラスチック成形による同程度の大きさの内部照明付き広告スタンドに比べて、はるかに軽量にできる。【００３６】  バルーン本体２１に隔壁２５Ａ、２５Ｂ、２５Ｃを設け、内部を区画２１Ａ，２１Ｂ，２１Ｃ，２１Ｄに分割し、各隔壁に通気孔２６Ａ、２６Ｂ、２６Ｃを設けたことの効果は、バルーン１１と同じであり、説明を省略する。【００３７】  さらに広告スタンド２０は広告担体として、バルーン本体２１ではなくカバー２２を用いているから、カバー２２が損傷または劣化したとき、あるいは広告メッセージを更新するときには、それだけを外して交換すればよく、バルーン全体を交換する場合に比べて、交換の作業が遥かに簡単である。交換の作業はバルーン本体が膨張した状態でも行える。【００３８】（第三の実施の形態、その構成）
図３は本発明の第三の実施の形態に当る広告装置を示す。図３（Ａ）は正面図、（Ｂ）は平面図、（Ｃ）は断面説明図である。広告スタンド３０は、バルーン本体２１、カバー３２、基底部１２から成り、基底部１２は光源部１３と送風器１４を具える。バルーン本体２１は第二の実施の形態のそれと同様である。なお図３（Ａ）及び（Ｂ）でバルーンおよび隔壁は便宜上厚みのないものとして図示した。基底部１２、光源部１３、送風器１４については広告スタンド１０と同様であり、説明を省略する。【００３９】  カバー３２は、両端に面ファスナー３２ｂを具えた帯状のシート３２ａを、バルーン本体２１の側面に巻きつけ、面ファスナー３２ｂの結合により筒状に形成したものである。その結果カバー３２は、偏平な直方体の外形を有するバルーン本体２１の側面を、それにほぼ密着して覆う。広告スタンド２０と同様にカバー３２が広告メッセージを保持している。【００４０】（第三の実施の形態の動作）
広告スタンド３０の動作は第二の実施の形態のそれと同様であり、説明を省略する。【００４１】（第三の実施の形態の効果）
広告スタンド３０の効果は第二の実施の形態のそれと同様であるが、カバー３２の交換は、バルーン本体２１から上方（開口部から遠い方向）へ抜き去るか、あるいは面ファスナー３２ｂの結合を解除するだけで行える。それ故、広告メッセージを有するカバー３２の交換の作業は、第二の実施の形態よりもさらに簡単である。【００４２】  それ以外の効果は広告スタンド２０と同じである。
【図面の簡単な説明】
【図１】  本発明の第一の実施の形態である広告スタンドを示し、（Ａ）は正面図、（Ｂ）は平面図、（Ｃ）は断面説明図。
【図２】  本発明の第二の実施の形態である広告スタンドを示し、（Ａ）は正面図、（Ｂ）は平面図、（Ｃ）は断面説明図。
【図３】  本発明の第三の実施の形態である広告スタンドを示し、（Ａ）は正面図、（Ｂ）は平面図、（Ｃ）は断面説明図。
【図４】  従来の広告スタンドを示し、（Ａ）は正面図、（Ｂ）は平面図。
【符号の説明】
１０  広告スタンド
１１  バルーン
１２  基底部
１３  光源部
１４  送風器
１１Ａ，１１Ｂ，１１Ｃ，１１Ｄ  区画
１５Ａ、１５Ｂ、１５Ｃ          隔壁
１６Ａ、１６Ｂ、１６Ｃ          通気孔
２０      広告スタンド
２１      バルーン本体
２１ａ    開口部
２１ｂ    面ファスナー
２１Ａ，２１Ｂ，２１Ｃ，２１Ｄ  区画
２２      カバー
２５Ａ、２５Ｂ、２５Ｃ      隔壁
２６Ａ、２６Ｂ、２６Ｃ      通気孔
３０      広告スタンド
３２      カバー
３２ａ    帯状のシート
３２ｂ    面ファスナー
８０      広告スタンド
８１      バルーン
８１ａ    開口部
８２      基底部
８３      光源部
８４      送風器
【図１】
2009139898.tif 000003
【図２】
2009139898.tif 000004
【図３】
2009139898.tif 000005
【図４】
2009139898.tif 000006